(57)【要約】【課題】本発明は、複数の電源供給系統の電源の各種回路素子への供給タイミングを制御する電源供給制御装置、電源供給制御方法及び画像形成装置に関する。【解決手段】複合装置１は、画像転送機能回路部７０に、その要求する電源供給タイミングの異なる複数の回路素子であるＡＳＩＣ７１、７２、７３を該電源供給タイミングに基づいて省エネルギー時電源供給系統７４と省エネルギー時非電源供給系統７５に系統分けを行い、該電源供給系統７４、７５毎に、ＰＳＵ９０からの電源の供給タイミングを、該各ＡＳＩＣ７１、７２、７３の要求する電源供給タイミングに応じた順番に制御する電源供給タイミング制御処理を行う電源供給制御部１００が設けられている。したがって、ＡＳＩＣ７１、７２、７３相互間での電源の回り込みを防止することができ、各ＡＳＩＣ７１、７２、７３の寿命の短命化を防止することができる。【選択図】          図３
2008158210.tif 000002
【特許請求の範囲】
【請求項１】
その要求する電源供給タイミングの異なる複数の回路素子に対する電源供給タイミングを制御する電源供給制御装置であって、前記各回路素子を該回路素子の要求する電源供給タイミングに基づいて複数の電源供給系統に系統分けを行い、該電源供給系統毎に、外部から供給される外部供給電源の供給タイミングを、該各回路素子の要求する電源供給タイミングに応じた順番に制御する電源供給タイミング制御処理を行うことを特徴とする電源供給制御装置。
【請求項２】
その要求する電源供給タイミングの異なる複数の回路素子に対する電源供給タイミングを制御する電源供給制御方法であって、前記各回路素子を該回路素子の要求する電源供給タイミングに基づいて複数の電源供給系統に系統分けを行い、該電源供給系統毎に、外部から供給される外部供給電源の供給タイミングを、該各回路素子の要求する電源供給タイミングに応じた順番に制御する電源供給タイミング制御処理を行うことを特徴とする電源供給制御方法。
【請求項３】
前記電源供給制御装置または前記電源供給制御方法は、前記複数の回路素子として、電源供給停止によって省エネルギーを行う省エネルギー状態においても電源の供給を必要とする省エネルギー時電源要回路素子と、省エネルギー状態においては電源の供給を必要としない省エネルギー時電源不要回路素子があり、前記外部供給電源が、該省エネルギー状態においても供給する省エネルギー時供給電源と該省エネルギー状態には供給しない省エネルギー時非供給電源の２系統の電源を有し、前記電源供給系統が、該省エネルギー時電源要回路素子に該省エネルギー時供給電源を供給する省エネルギー時電源供給系統と、該省エネルギー時電源不要回路素子に該省エネルギー時電源非供給電源を供給する省エネルギー時非電源供給系統に大きく系統分けされ、前記省エネルギー状態解除時の前記電源供給タイミング制御処理として、該省エネルギー時非電源供給系統での該省エネルギー時非供給電源の前記省エネルギー時電源不要回路素子の各回路への電源供給タイミングを制御することを特徴とする請求項１記載の電源供給制御装置または請求項２記載の電源供給制御方法。
【請求項４】
前記電源供給制御装置または前記電源供給制御方法は、前記省エネルギー状態解除時のタイミング制御処理として、前記省エネルギー時供給電源から第１の電源を生成し、該第１の電源が所定の設定電圧に到達して所定時間経過すると、前記省エネルギー時非供給電源から第２の電源を生成し、該第２の電源が所定の設定電圧に到達して所定時間経過すると、第３の電源を出力する処理を行うことを特徴とする請求項３記載の電源供給制御装置または電源供給制御方法。
【請求項５】
前記電源供給制御装置または前記電源供給制御方法は、前記第３の電源として、前記第２の電源よりもその電圧値の低い電源を生成し、電圧値の低い電源が先に供給され電圧値の高い電源が後で供給される電源供給タイミングを要求する回路素子に、該第２の電源と該第３の電源を供給することを特徴とする請求項４記載の電源供給制御装置または電源供給制御方法。
【請求項６】
少なくとも電源部からの供給電源を電源供給制御装置によって電源供給タイミングを制御して複数の回路素子に供給し、該回路素子の動作によって、画像データに基づいて画像形成する画像形成装置であって、前記電源供給制御装置として、請求項１、請求項３から請求項５のいずれかに記載の電源給制御装置を備えていることを特徴とする画像形成装置。
【請求項７】
前記画像形成装置は、前記電源供給制御装置によって電源供給タイミングの制御される複数の回路素子が画像データの転送を行う機能回路を構成していることを特徴とする請求項６記載の画像形成装置。
【発明の詳細な説明】
【技術分野】
【０００１】
本発明は、電源供給制御装置、電源供給制御方法及び画像形成装置に関し、詳細には、複数の電源供給系統の各種回路素子への電源供給タイミングを制御する電源供給制御装置、電源供給制御方法及び画像形成装置に関する。
【背景技術】
【０００２】
複写装置、ファクシミリ装置、プリンタ装置、複合装置、スキャナ装置等の画像処理装置は、その機能が高機能化するのに伴って、電源部の出力容量及び出力系統の数が、増大化する傾向にある。特に、コピー機能、ファクシミリ機能、プリンタ機能等の複数の機能を有する複合装置においては、各種の機能を制御する必要上、１台の複合装置の中に、多数の処理装置（ＣＰＵ）を含む制御回路を搭載した複数のモジュールを有するようになり、これら複数のモジュールの回路素子に所定の電力を供給する必要性から電源部も大容量化及び多出力化し、同一レベルの電力を出力する複数の電力出力系統を備えた電源部が採用されるようになってきている。
【０００３】
また、複写機能、ファクシミリ機能、プリント機能、スキャナ機能等の複数の機能が組み込まれた複合装置は、通常、電源の投入後に、使用されずに一定時間が経過すると、待機モード、予熱モード、低電力モード、スリープモードと順に高い省エネルギーの状態に移行して待機するように制御される。
【０００４】
このような、省エネルギーモードを備えかつ複数の電源供給系統を備えている装置においては、複数の電源供給系統の電源投入タイミング（電源供給タイミング）が適切な順序になっていないと、半導体回路相互間での電源の回り込みが発生して、パラメータの寿命が短くなるという事態が発生する。
【０００５】
そこで、本出願人は、先に、コントローラに、メインスイッチのオン時常に電源が供給されるタイミング生成部を設け、画像形成装置を構成する機構部、機能回路に電源を供給する電源を複数の電源系統に分割し、装置の電源投入時、複数の電源系統の電源のそれぞれを投入するタイミングに順番を定めて装置の電源を投入し、また、省エネルギー状態相互間を遷移するとき、該複数の電源系統の電源のそれぞれを投入するタイミングに順番を定めて制御し、省エネルギー状態相互間を遷移する画像形成装置を提案している（特許文献１参照）。
【０００６】
【特許文献１】特開２００４−２６６６６１号公報
【発明の開示】
【発明が解決しようとする課題】
【０００７】
しかしながら、上記従来技術にあっては、装置全体で複数に分割された電源を備え、この複数の電源供給系統の電源のそれぞれの供給するタイミング、省エネ状態遷移時の電源の供給タイミングに順番を定めて装置の電源を供給するようにしているため、半導体回路相互間の電源の回り込みをより一層適切に回避して、半導体の寿命の短命化を防止する上で、改良の必要があった。
【０００８】
すなわち、従来技術にあっては、電源供給のタイミングに順番を定めて装置全体での半導体回路相互間での電源の回り込みを防止しているが、半導体回路相互間での電源の回り込みは、装置全体だけでなく、装置内で分割された電源供給系統内においても同様であり、従来技術にあっては、装置全体での上記電源の回り込みを防止することはできるが、分割された電源供給系統の内部、特に、画像転送を担う機能回路では、省エネルギー用の電源（省エネルギー時に遮断される電源であり、以下、省エネルギー時非供給電源という。）と省エネルギー用でない電源（省エネルギー時においても供給される電源であり、以下、省エネルギー時供給電源という。）を含んでおり、分割された系統内部で多くの電源を使用しているため、上記従来技術では、分割された電源供給系統内での電源の回り込みを防止することができない。
【０００９】
また、電源供給系統は、上述のように、省エネルギー時供給電源と省エネルギー時非供給電源があり、この２系統の電源が画像転送を担う回路に供給されるタイミングは、ＰＳＵ（Power Supply Unit ：電源供給部）の出力タイミングであり、省エネルギー時供給電源から生成される電源がコントローラからの信号により制御され、省エネルギー時非供給電源はコントローラの信号に関係なく生成されるため、タイミングを考慮せずにこれら２系統の電源を供給すると、２系統の電源の供給されるタイミングが同時であったり、間隔が短い場合には、省エネルギー時供給電源よりも省エネルギー時非供給電源の方が先に生成されて、半導体回路相互間（回路素子相互間）での電源の割り込みが発生するおそれがある。
【００１０】
すなわち、装置上、省エネルギー時供給電源が生成されて、省エネルギー時非供給電源が生成されないことは、省エネルギー状態などにおいて存在するが、省エネルギー時非供給電源が生成されて、省エネルギー時供給電源が生成されていない状態は装置上設定されておらず、このような状態が発生すると、半導体回路相互間での電源の回り込みに大きく影響してしまう。
【００１１】
さらに、電源は、通常、電圧の低い方から立ち上がり、ＡＳＩＣ（Application Specific Integrated Circuit）は低い電圧から供給する仕様のものが多いため、電源供給に関して、あまり考慮する必要がないが、上記従来技術は、ＡＳＩＣで高い方の電圧を先に供給しなければならない仕様の場合のことについては考慮されておらず、このような場合、低い電圧から供給されると、仕様を満足することができず、たいていは実力で動作してしまうが、誤動作の危険を備えていたり、ＡＳＩＣに負担をかけているため、寿命を短くするおそれがある。
【００１２】
そこで、本発明は、回路素子それぞれに適切な電源供給タイミングで供給して、電源の回り込みを防止し、各回路素子の寿命の短命化を防止する電源供給制御装置、電源供給制御方法及び画像形成装置を提供することを目的としている。
【課題を解決するための手段】
【００１３】
請求項１記載の発明の電源供給制御装置は、その要求する電源供給タイミングの異なる複数の回路素子に対する電源供給タイミングを制御する電源供給制御装置であって、前記各回路素子を該回路素子の要求する電源供給タイミングに基づいて複数の電源供給系統に系統分けを行い、該電源供給系統毎に、外部から供給される外部供給電源の供給タイミングを、該各回路素子の要求する電源供給タイミングに応じた順番に制御する電源供給タイミング制御処理を行うことにより、上記目的を達成している。
【００１４】
請求項２記載の発明の電源供給制御方法は、その要求する電源供給タイミングの異なる複数の回路素子に対する電源供給タイミングを制御する電源供給制御方法であって、前記各回路素子を該回路素子の要求する電源供給タイミングに基づいて複数の電源供給系統に系統分けを行い、該電源供給系統毎に、外部から供給される外部供給電源の供給タイミングを、該各回路素子の要求する電源供給タイミングに応じた順番に制御する電源供給タイミング制御処理を行うことにより、上記目的を達成している。
【００１５】
上記各場合において、例えば、請求項３に記載するように、前記電源供給制御装置または前記電源供給制御方法は、前記複数の回路素子として、電源供給停止によって省エネルギーを行う省エネルギー状態においても電源の供給を必要とする省エネルギー時電源要回路素子と、省エネルギー状態においては電源の供給を必要としない省エネルギー時電源不要回路素子があり、前記外部供給電源が、該省エネルギー状態においても供給する省エネルギー時供給電源と該省エネルギー状態には供給しない省エネルギー時非供給電源の２系統の電源を有し、前記電源供給系統が、該省エネルギー時電源要回路素子に該省エネルギー時供給電源を供給する省エネルギー時電源供給系統と、該省エネルギー時電源不要回路素子に該省エネルギー時電源非供給電源を供給する省エネルギー時非電源供給系統に大きく系統分けされ、前記省エネルギー状態解除時の前記電源供給タイミング制御処理として、該省エネルギー時非電源供給系統での該省エネルギー時非供給電源の前記省エネルギー時電源不要回路素子の各回路への電源供給タイミングを制御してもよい。
【００１６】
また、例えば、請求項４に記載するように、前記電源供給制御装置または前記電源供給制御方法は、前記省エネルギー状態解除時のタイミング制御処理として、前記省エネルギー時供給電源から第１の電源を生成し、該第１の電源が所定の設定電圧に到達して所定時間経過すると、前記省エネルギー時非供給電源から第２の電源を生成し、該第２の電源が所定の設定電圧に到達して所定時間経過すると、第３の電源を出力する処理を行ってもよい。
【００１７】
さらに、例えば、請求項５に記載するように、前記電源供給制御装置または前記電源供給制御方法は、前記第３の電源として、前記第２の電源よりもその電圧値の低い電源を生成し、電圧値の低い電源が先に供給され電圧値の高い電源が後で供給される電源供給タイミングを要求する回路素子に、該第２の電源と該第３の電源を供給してもよい。
【００１８】
請求項６記載の発明の画像形成装置は、少なくとも電源部からの供給電源を電源供給制御装置によって電源供給タイミングを制御して複数の回路素子に供給し、該回路素子の動作によって、画像データに基づいて画像形成する画像形成装置であって、前記電源供給制御装置として、請求項１、請求項３から請求項５のいずれかに記載の電源給制御装置を備えていることにより、上記目的を達成している。
【００１９】
請求項６の場合、例えば、請求項７に記載するように、前記電源供給制御装置によって電源供給タイミングの制御される複数の回路素子が画像データの転送を行う機能回路を構成していてもよい。
【発明の効果】
【００２０】
本発明によれば、その要求する電源供給タイミングの異なる複数の回路素子を該電源供給タイミングに基づいて複数の電源供給系統に系統分けを行い、該電源供給系統毎に、外部から供給される外部供給電源の供給タイミングを、該各回路素子の要求する電源供給タイミングに応じた順番に制御する電源供給タイミング制御処理を行うので、回路素子それぞれに適切な電源供給タイミングで電源を供給して、電源の回り込みを防止することができ、各回路素子の寿命の短命化を防止することができる。
【発明を実施するための最良の形態】
【００２１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２２】
図１〜図５は、本発明の電源供給制御装置、電源供給制御方法及び画像形成装置の一実施例を示す図であり、図１は、本発明の電源供給制御装置、電源供給制御方法及び画像形成装置の一実施例を適用した複合装置１の正面概略構成である。
【００２３】
図１において、複合装置１は、本体筐体２の上面部に、コンタクトガラス３が配設されており、コンタクトガラス３の下方の本体筐体２内部に、図示しない第１キャリッジに搭載されたランプ４と第１ミラー５、図示しない第２キャリッジに搭載された第２ミラー６と第３ミラー７、レンズ８及びＣＣＤ９からなるスキャナエンジンユニット１０が配設されている。
【００２４】
スキャナエンジンユニット１０は、第１キャリッジ及び第２キャリッジが、図示しないモータにより駆動されて、図１の左右方向である副走査方向に移動し、コンタクトガラス３上に固定的にセットされた原稿を主走査及び副走査して、原稿の画像を読み取る。
【００２５】
複合装置１は、本体筐体２の上部にＡＤＦ（Auto Document Feeder）２０がコンタクトガラス３の上面を開閉可能に取り付けられており、ＡＤＦ２０は、開くことで、コンタクトガラス３上に原稿をセット可能となっていて、コンタクトガラス３上に原稿がセットされた状態で閉じられると、当該原稿をコンタクトガラス３に押しつける圧板の機能も有している。
【００２６】
ＡＤＦ２０は、原稿台２１、給送ローラ２２、給送ベルト２３、該給送ベルト２３に沿って複数配設された搬送ローラ２４、排紙ローラ２５、排紙台２６及び原稿セット検知センサ２７等が配設されている。
【００２７】
ＡＤＦ２０は、原稿台２１に原稿がその画像面を上にして原稿束がセットされている状態で、図示しない操作表示部上のスタートキーが押下されると、給送ローラ２２により原稿台２１上にセットされた原稿束の一番下の原稿から１枚ずつ分離して、給送ベルト２３に送り出し、給送ベルト２３に送り出した原稿を搬送ローラ２４で移動される給紙ベルト２３によってコンタクトガラス３上の所定の位置に給送する。
【００２８】
複合装置１は、コンタクトガラス３上の原稿を、スキャナエンジンユニット１０によってその画像情報を読み取った後に、給送ベルト２３、排送ローラ２５によって排紙台２６上に排出する。
【００２９】
このＡＤＦ２０は、一枚の原稿の給送完了毎に原稿枚数をカウントアップするカウント機能を有している。
【００３０】
複写装置１は、原稿セット検知センサ２７が原稿台２１上に次の原稿が有ることを検知すると、上記同様に、原稿台２１上の一番下の原稿を給送ローラ２２及び給送ベルト２３でコンタクトガラス３上の所定の位置に給送し、コンタクトガラス３上の原稿の画像情報を、スキャナエンジンユニット１０で読み取った後、給送ベルト２３、排送ローラ２５によって排紙台２６上に排出する。なお、給送ローラ２２、給送ベルト２３及び排送ローラ２５は、図示しない搬送モータによって駆動される。
【００３１】
複写装置１は、本体筐体２内のスキャナエンジンユニット１０の下方に、プロッタエンジンユニット３０が配設されており、プロッタエンジンユニット３０は、感光体（例えば、感光体ドラム）３１、書込ユニット３２、現像部３３、搬送ベルト３４、定着部３５、搬送切換排紙部３６、両面入紙搬送路３７、反転排紙搬送路３８、反転ユニット３９、両面搬送ユニット４０、給紙部群４１、搬送ユニット４２及び排紙トレイ４３等が配設されている。
【００３２】
プロッタエンジンユニット３０は、図示しないメインモータにより図１の時計方向に回転駆動される感光体３１の表面を、図示しない帯電器により一様に帯電させ、その感光体３１の表面にスキャナエンジンユニット１０で読み取られた画像情報または図示しない外部装置（例えば、パーソナルコンピュータ等）から送られてきたデータに基づいて書込ユニット３２により書き込ませて、静電潜像を形成させる。プロッタエンジンユニット３０は、静電潜像の形成された感光体３１に、現像部３３からトナーを供給して、トナー画像として顕像化し、感光体３１上の顕像化したトナー画像を転写機能を兼ね備えた搬送ベルト３４で、給紙部群４１の１つから給紙されて搬送ユニット４２で搬送されてきた用紙Ｐに転写させる。プロッタエンジンユニット３０は、トナー画像の転写された用紙Ｐを搬送ベルト３４で定着部３５に搬送させて、定着部３５で定着処理を行わせた後、搬送切換排紙部３６に送って、搬送切換排紙部３６で、搬送経路の切り換えを行う。搬送切換排紙部３６は、用紙Ｐをそのまま排紙するときには、本体筐体２の側面に設けられた排紙トレイ４３上に排紙させる。プロッタエンジンユニット３０は、転写の完了した感光体３１を図示しないクリーニング部でクリーニングして残留トナーを除去し、図示しない除電部で除電した後、再度、帯電部で一様に帯電させて、次の画像形成に供する。
【００３３】
搬送切換排紙部３６には、両面入紙搬送路３７と反転排紙搬送路３８によって、用紙Ｐの表裏面を反転させる反転ユニット３９と反転ユニット３９で反転された用紙Ｐを再度搬送ユニット４２を介して感光体３１と搬送ベルト３４との間に搬送する両面搬送ユニット４０が接続されており、搬送切換排紙部３６は、反転排紙または両面記録が選択されていると、片面に画像が形成されて定着の完了した用紙Ｐを反転排紙搬送路３８を介して反転ユニット３９に送り込む。
【００３４】
反転ユニット３９は、反転排紙が選択されていると、搬送切換排紙部３６から送り込まれてくる用紙Ｐを一旦引き込んで用紙Ｐの表裏面を反転させた状態で、反転排紙搬送路３８を介して搬送切換排紙部３６に送り出し、搬送切換排紙部３６は、反転ユニット３９で表裏面の反転された用紙Ｐを排紙トレイ４３上に排出する。
【００３５】
両面搬送ユニット４０は、両面記録が選択されていると、反転ユニット３９が一旦引き込んで表裏面を反転させた用紙Ｐを引き込んで、搬送ユニット４２に送り出し、搬送ユニット４２が、再度、感光体３１と搬送ベルト３４との間に搬送させて、裏面への画像形成に供する。
【００３６】
上記給紙部群４１は、第１給紙部５１から第３給紙部５３の３つの給紙部を備え、各給紙部５１〜５３は、それぞれ第１給紙トレイ５１ａ〜第３給紙トレイ５３ａと、各給紙トレイ５１ａ〜５３ａ内の用紙Ｐを１枚ずつ分離して搬送ユニット４２に送り出す給紙ローラ部５１ｂ〜５３ｂを備えている。給紙部群４１は、選択された給紙部５１〜５３の給紙ローラ部５１ｂ〜５３ｂを駆動させて、該選択された給紙部５１〜５３の給紙トレイ５１ａ〜５３ａ内の用紙Ｐを１枚ずつ分離して搬送ユニット４２に送り出す。
【００３７】
搬送ユニット４２は、給紙部群４１の給紙部５１〜５３から送り出された用紙Ｐを感光体３１と搬送ベルト３４との間に搬送する。
【００３８】
そして、複合装置１は、図２に示すようにブロック構成されており、上記スキャナエンジンユニット１０、プロッタエンジンユニット３０を備えているとともに、ＦＡＸユニット６０、画像転送機能回路部７０、コントローラ８０及びＰＳＵ（Power Supply Unit ：電源供給部）９０等を備えている。複合装置１は、スキャナエンジンユニット１０、プロッタエンジンユニット３０、ＦＡＸユニット６０、画像転送機能回路部７０及びコントローラ８０がデータバス９１で接続されており、画像転送機能回路部７０がデータバス９１を介して各ユニット１０、３０、６０及びコントローラ８０間の画像データの転送を行う。
【００３９】
また、複合装置１は、省エネルギーモードを備えており、主電源がオン状態で、何らの動作要求が発生することなく、予め設定されている所定の省エネルギーモード移行時間が経過すると、各スキャナエンジンユニット１０、プロッタエンジンユニット３０、画像転送機能回路部７０及びＦＡＸユニット６０等の各部への電源の供給の停止や削減を行って、消費電力を削減する省エネルギーモードに移行する。
【００４０】
ＰＳＵ（外部電源）９０は、外部商用交流電源を電圧変換し、また、直流（ＤＣ）変換するとともに電圧変換して各種電圧値の直流電源を生成し、スキャナエンジン１０、プロッタエンジン、ＦＡＸユニット６０、画像転送機能回路部７０、コントローラ８０等の複合装置１の各部に供給する。
【００４１】
また、複合装置１は、図１及び図２には図示しないが操作表示部を備えており、操作表示部には、複合装置１に各種動作を行わせるための操作キー及び操作キーから入力操作された内容や複合装置１からユーザに通知する各種情報を表示する表示部（例えば、ＬＣＤ（Liquid Crystal Display））等が設けられている。
【００４２】
この複合装置１は、上記各ユニット１０、３０、６０、画像転送機能回路部７０及びコントローラ８０を利用して、コピー機能、プリンタ機能、スキャン機能及びファクシミリ機能の各動作機能を実行し、操作表示部のアプリケーション切換キー等によりコピー機能、プリンタ機能、スキャン機能、ファクシミリ機能を順次切り換えて選択することができる。複合装置１は、コピー機能が選択されたときには、コピーモードとなり、プリンタ機能が選択されたときには、プリントモードとなり、スキャン機能が選択されたときには、スキャンモードとなり、ファクシミリモードが選択されたときには、ファクシミリモードとなる。
【００４３】
上記画像転送機能回路部（機能回路）７０は、例えば、図３に示すように、省エネルギーモードにおいても電源の供給される省エネルギー時電源要回路素子であるＡＳＩＣ（Application Specific Integrated Circuit）７１と省エネルギーモードには電源の供給されない省エネルギー時電源不要回路素子であるＡＳＩＣ７２、７３を備えているとともに、省エネルギー時電源要ＡＳＩＣ７１への電源供給系統（省エネルギー時電源供給系統）７４と省エネルギー時電源不要ＡＳＩＣ７２、７３への電源供給系統（省エネルギー時非電源供給系統）７５とに設けられた電源供給制御部（電源供給制御装置）１００を備えており、ＰＳＵ９０は、省エネルギーモードにおいても供給される省エネルギー時供給電源として５ＶＥを画像転送機能回路部７０の省エネルギー時電源供給系統７４とコントローラ８０に供給されるとともに、省エネルギーモード時には供給されない省エネルギー時非供給電源として５Ｖを画像転送機能回路部７０の省エネルギー時非電源供給系統７５に供給する。
【００４４】
省エネルギー時電源供給系統７４には、電圧変換用のレギュレータ素子（レギュレータＩＣ）１０１、１０２及びリセット素子（リセットＩＣ）１０２が配設されており、省エネルギー時非電源供給系統７５には、電圧変換用のレギュレータ素子（レギュレータＩＣ）１１１、１１２、リセット素子（リセットＩＣ）１１３、スイッチ回路１１４及び電圧変換用のレギュレータ素子（レギュレータＩＣ）１１５が配設されている。
【００４５】
省エネルギー時電源供給系統７４のレギュレータ素子１０１には、ＰＳＵ９０から５ＶＥの省エネルギー時供給電源が供給されるとともに、コントローラ８０からハイ（High）とロー（Low）に変化することでレギュレータ素子１０１の動作をオン／オフ制御するPONPCI_N信号が入力され、レギュレータ素子１０１は、ハイのPONPCI_N信号が入力されると、オンして５ＶＥの省エネルギー時供給電源を、３．３ＶＥＣ（第１の電源）に電圧変換して、ＡＳＩＣ７１及びレギュレータ素子１０２とリセット素子１０３に出力する。
【００４６】
レギュレータ素子１０２は、レギュレータ素子１０１から入力される３．３ＶＥＣの省エネルギー時供給電源を１．８ＶＥＣに電圧変換してＡＳＩＣ７１に出力する。
【００４７】
リセット素子１０３は、レギュレータ素子１０１から入力される３．３ＶＥＣ（第１の電源）が予め設定されている所定電圧まで上昇すると、その後、予め設定されている所定時間ｔ１（図４参照）の経過後に、ローのリセット信号をハイのリセット解除信号に切り換えて、省エネルギー時非電源供給系統７５のレギュレータ素子１１１に出力する。
【００４８】
省エネルギー時非電源供給系統７５のレギュレータ素子１１１には、ＰＳＵ９０から５Ｖの省エネルギー時非供給電源が供給されるとともに、上記リセット素子１０３からリセット信号／リセット解除信号が入力され、レギュレータ素子１１１は、リセット素子１０３からのリセット解除信号が入力されている状態で、ＰＳＵ９０からの５Ｖの省エネルギー時非供給電源を３．３Ｖ（第２の電源）に電圧変換して、レギュレータ素子１１２とＡＳＩＣ７２に出力するとともに、ＡＳＩＣ７３及びリセット素子１１３に出力する。
【００４９】
レギュレータ素子１１２は、レギュレータ素子１１１から入力される３．３Ｖの省エネルギー時非供給電源を１．８Ｖに電圧変換して、ＡＳＩＣ７２に入力する。
【００５０】
リセット素子１１３は、レギュレータ素子１１１から入力される３．３Ｖ（第２の電源）が予め設定されている所定電圧まで上昇すると、その後、予め設定されている所定の設定時間ｔ２（図４参照）の経過後に、ローのリセット信号をハイのリセット解除信号に切り換えて、スイッチ回路１１４に出力する。
【００５１】
スイッチ回路１１４は、トランジスタＴｒ１、電界効果トランジスタＱ１及び抵抗Ｒ１、Ｒ２等を備えており、リセット素子１１３の出力がトランジスタＴｒ１のベースに入力されている。トランジスタＴｒ１は、エミッタ接地されており、そのベースに上記リセット素子１１３の出力が入力されているとともに、レギュレータ素子１１１の出力に対して、リセット素子１１３と並列に接続された抵抗Ｒ１を介してレギュレータ素子１１１の出力が入力される。
【００５２】
トランジスタＴｒ１のコレクタには、抵抗Ｒ２を介してＰＳＵ９０からの省エネルギー時非供給電源の５Ｖが入力され、このコレクタが、電界効果トランジスタＱ１のゲートに接続されている。
【００５３】
電界効果トランジスタＱ１は、そのソース−ドレイン間にＰＳＵ９０からの省エネルギー時非供給電源の５Ｖが入力され、その出力がレギュレータ素子１１５に接続されている。
【００５４】
スイッチ回路１１４は、トランジスタＴｒ１のベースに入力されているリセット素子１１３のリセット信号がリセット解除信号に切りかわると、トランジスタＴｒ１がオンし、トランジスタＴｒ１がオンすると、電界効果トランジスタＱ１がオンして、省エネルギー時非供給電源の５Ｖをレギュレータ素子１１５に入力する。
【００５５】
レギュレータ素子１１５は、スイッチ回路１１４から入力される５Ｖの省エネルギー時非供給電源を、１．２７５Ｖに電圧変換して、第３の電源としてＡＳＩＣ７３に供給する。
【００５６】
すなわち、ＡＳＩＣ７３は、３．３Ｖの高い電圧電源が先に供給され、１．２７５Ｖの低い電圧電源が後で供給される必要のある回路素子であり、リセット素子１１３、スイッチ回路１１４及びレギュレータ素子１１５を用いて、レギュレータ素子１０１の３．３Ｖ（第１の電源）がリセット素子１０３で所定時間ｔ１遅延された後、レギュレータ素子１１１からリセット素子１１３に３．３Ｖ（第２の電源）を出力し、リセット素子１１３で所定時間ｔ２遅延させた後、スイッチ回路１１４から省エネルギー時非供給電源の５Ｖをレギュレータ素子１１５に入力し、さらにレギュレータ素子１１５で、この５Ｖの省エネルギー時非供給電源を１．２７５Ｖ（第３の電源）に変換して、ＡＳＩＣ７３に供給する。
【００５７】
次に、本実施例の作用を説明する。本実施例の複合装置１は、その画像転送機能回路部７０の各回路素子を、その電源供給タイミングに基づいて系統分けし、該電源供給系統毎に、電源供給タイミングを、該各回路素子であるＡＳＩＣ７１、７２、７３への電源供給タイミングを該ＡＳＩＣ７１、７２、７３の要求する電源供給タイミングに応じた順番に制御する。また、複合装置１は、上述のように、省エネルギーモードに移行すると、消費電力を削減するが、この省エネルギーモードにおいても、電源供給の必要な省エネルギー時電源要ＡＳＩＣ７１と電源供給の不必要な省エネルギー時電源不要ＡＳＩＣ７２、７３があり、これらのＡＳＩＣ７１、７２、７３相互間でその要求する電源供給タイミングが異なるとともに、ＡＳＩＣ７１、７２、７３内部においてもその要求する電源供給タイミングが異なるため、この要求する電源供給タイミングに応じて電源供給タイミングを調整することが、電源の回り込みを防止して、安全性を向上させ、また、寿命の短命化を防止する上で、重要である。
【００５８】
特に、複合装置１は、各ユニット１０、３０、６０間及び図示しないハードディスク等の画像データ蓄積部との間で画像データの転送を行うが、この画像データの転送を画像転送機能回路部７０が行っており、この画像転送機能回路部７０は、その画像データ転送機能をタイミングよくかつ各種動作モードにおいても適切に行う必要がある。
【００５９】
そこで、本実施例の画像転送機能回路部７０は、電源供給系統を、省エネルギー時電源要ＡＳＩＣ７１への電源供給系統である省エネルギー時電源供給系統７４と省エネルギー時電源不要ＡＳＩＣ７２、７３への電源供給系統である省エネルギー時非電源供給系統７５とに分ける電源供給制御部１００が配設されており、電源供給制御部１００が、複合装置１の主電源オン時及び省エネルギーモード復帰時の省エネルギー時電源要ＡＳＩＣ７１と省エネルギー時電源不要ＡＳＩＣ７２、７３への電源供給タイミング及び電圧調整を行っている。
【００６０】
まず、複合装置１の主電源オン時の電源供給制御部１００の動作について、図４に基づいて説明する。
【００６１】
複合装置１の主電源がオンされると、図４（ａ）に示すように、ＰＳＵ９０から５ＶＥの省エネルギー時供給電源と５Ｖの省エネルギー時非供給電源が、それぞれ電源供給制御部１００の省エネルギー時電源供給系統７４と省エネルギー時非電源供給系統７５に供給される。
【００６２】
ＰＳＵ９０からの５ＶＥの省エネルギー時供給電源は、省エネルギー時電源供給系統７４のレギュレータ素子１０１に供給され、レギュレータ素子１０１は、図４（ｂ）に示すように、コントローラ８０からのPONPCI_N信号がハイになると、図４（ｃ）に示すように、オンして、５ＶＥの省エネルギー時供給電源を３．３ＶＥＣ（第１の電源）に電圧変換して、省エネルギー時電源要ＡＳＩＣ７１に供給するとともに、レギュレータ素子１０２及びリセット素子１０３に出力する。
【００６３】
レギュレータ素子１０２は、レギュレータ素子１０１から３．３ＶＥＣの省エネルギー時供給電源が入力されると、図４（ｄ）に示すように、該３．３ＶＥＣの省エネルギー時供給電源を１．８ＶＥＣに電圧変換して、ＡＳＩＣ７１に供給する。
【００６４】
リセット素子１０３は、図４（ｅ）及び図４（ｇ）に示すように、レギュレータ素子１０１から入力される３．３ＶＥＣが予め設定されている所定電圧まで上昇した後、予め設定されている所定時間ｔ１経過後に、リセット信号（ロー）をリセット解除信号（ハイ）に切り換えて、省エネルギー時非電源供給系統７５のレギュレータ素子１１１に出力する。
【００６５】
省エネルギー時非電源供給系統７５のレギュレータ素子１１１には、ＰＳＵ９０から図４（ｆ）に示す５Ｖの省エネルギー時非供給電源が供給されており、レギュレータ素子１１１は、リセット素子１０３からリセット解除信号が入力されると、図４（ｇ）に示すように、該５Ｖの省エネルギー時非供給電源を３．３Ｖ（第２の電源）に電圧変換して、省エネルギー時電源不要ＡＳＩＣ７２、ＡＳＩＣ７３に供給するとともに、レギュレータ素子１１２及びリセット素子１１３に出力する。
【００６６】
レギュレータ素子１１２は、図４には図示しないが、レギュレータ素子１０２と同様に、レギュレータ素子１１１から３．３Ｖの省エネルギー時非供給電源が入力されると、該３．３Ｖの省エネルギー時非供給電源を１．８Ｖに電圧変換して、ＡＳＩＣ７２に供給する。
【００６７】
また、リセット素子１１３は、レギュレータ素子１１１から入力される第２の電源である３．３Ｖの省エネルギー時非供給電源が入力されると、図４（ｇ）及び図４（ｈ）に示すように、該３．３Ｖが予め設定されている所定電圧まで上昇した後、予め設定されている所定の設定時間ｔ２経過後に、リセット信号（ロー）をリセット解除信号（ハイ）に切り換えて、スイッチ回路１１４に出力する。
【００６８】
スイッチ回路１１４は、上述のように、そのトランジスタＴｒ１のベースに入力されているリセット素子１１３の出力するローのリセット信号からハイのリセット解除信号に切りかわると、トランジスタＴｒ１がオンし、トランジスタＴｒ１がオンすると、電界効果トランジスタＱ１がオンして、省エネルギー時非供給電源の５Ｖをレギュレータ素子１１５に入力する。
【００６９】
レギュレータ素子１１５は、スイッチ回路１１４から５Ｖの省エネルギー時非供給電源が入力されると、図４（ｉ）に示すように、５Ｖの省エネルギー時非供給電源を、１．２７５Ｖ（第３の電源）に電圧変換して、ＡＳＩＣ７３に供給する。
【００７０】
次に、省エネルギーモードからの復帰時の電源供給制御部１００の動作について、図５に基づいて説明する。
【００７１】
省エネルギーモード状態においては、ＰＳＵ９０から５ＶＥの省エネルギー時供給電源が供給されており、図５（ａ）から図５（ｅ）に示すように、省エネルギー時電源供給系統７４の電圧変換用のレギュレータ素子（レギュレータＩＣ）１０１、１０２及びリセット素子（リセットＩＣ）１０２は、全て立ち上がっており、上記規定の出力電圧を出力している。
【００７２】
この省エネルギーモード状態において、操作表示部の省エネルギー復帰キーが操作されたり、ＡＤＦ２０の原稿台２１上に原稿がセットされたり、ファクシミリ受信が発生したり等の省エネルギー復帰要因が発生すると、図５（ｆ）に示すように、ＰＳＵ９０から５Ｖの省エネルギー時非供給電源が、電源供給制御部１００の省エネルギー時非電源供給系統７５のレギュレータ素子１１１に供給される。
【００７３】
このとき、リセット素子１０３は、図５（ｅ）に示すように、既に、レギュレータ素子１０１からの第１の電源である３．３ＶＥＣが所定の電圧まで上昇した後、所定の設定時間ｔ１が経過して、ハイのリセット解除信号をレギュレータ素子１１１に出力しており、レギュレータ素子１１１は、図５（ｇ）に示すように、ＰＳＵ９０から５Ｖの省エネルギー時供給電源の供給が開始されると、該供給される５Ｖの省エネルギー時非供給電源を３．３Ｖ（第２の電源）に電圧変換して、省エネルギー時電源不要ＡＳＩＣ７２、ＡＳＩＣ７３に出力するとともに、レギュレータ素子１１２及びリセット素子１１３に出力する。
【００７４】
レギュレータ素子１１２は、レギュレータ素子１１１から３．３Ｖの省エネルギー時非供給電源が入力されると、該３．３Ｖの省エネルギー時非供給電源を１．８Ｖに電圧変換して、ＡＳＩＣ７２に供給する。
【００７５】
また、リセット素子１１３は、レギュレータ素子１１１から入力される第２の電源である３．３Ｖの省エネルギー時非供給電源が入力され、図５（ｇ）及び図５（ｈ）に示すように、上記同様に、該３．３Ｖの省エネルギー時非供給電源が予め設定されている所定電圧まで上昇すると、所定の設定時間ｔ２経過後に、リセット信号（ロー）をリセット解除信号（ハイ）に切り換えて、スイッチ回路１１４に出力する。
【００７６】
スイッチ回路１１４は、上述のように、そのトランジスタＴｒ１のベースに入力されているリセット素子１１３のローのリセット信号がハイのリセット解除信号に切りかわると、トランジスタＴｒ１がオンし、トランジスタＴｒ１がオンすると、電界効果トランジスタＱ１がオンして、省エネルギー時非供給電源の５Ｖをレギュレータ素子１１５に入力する。
【００７７】
レギュレータ素子１１５は、スイッチ回路１１４から５Ｖの省エネルギー時非供給電源が入力されると、図５（ｉ）に示すように、この５Ｖの省エネルギー時非供給電源を、１．２７５Ｖ（第３の電源）に電圧変換して、ＡＳＩＣ７３に供給する。
【００７８】
このように、本実施例の複合装置１は、その画像転送機能回路部７０に、その要求する電源供給タイミングの異なる複数の回路素子であるＡＳＩＣ７１、７２、７３を該ＡＳＩＣ７１、７２、７３の要求する電源供給タイミングに基づいて省エネルギー時電源供給系統７４と省エネルギー時非電源供給系統７５に系統分けを行い、該電源供給系統７４、７５毎に、ＰＳＵ９０から各ＡＳＩＣ７１、７２、７３への電源供給タイミングを、各ＡＳＩＣ７１、７２、７３の要求する電源供給タイミングに応じた順番に制御する電源供給タイミング制御処理を行う電源供給制御部１００が設けられている。
【００７９】
したがって、ＡＳＩＣ７１、７２、７３それぞれに各ＡＳＩＣ７１、７２、７３の要求する電源供給タイミングに応じた電源供給タイミングで電源を供給して、ＡＳＩＣ７１、７２、７３相互間での電源の回り込みを防止することができ、各ＡＳＩＣ７１、７２、７３の寿命の短命化を防止することができる。
【００８０】
また、本実施例の複合装置１は、画像転送機能回路部７０に、省エネルギー状態においても電源の供給を必要とする省エネルギー時電源要回路素子であるＡＳＩＣ７１と、省エネルギー状態においては電源の供給を必要としない省エネルギー時電源不要回路素子であるＡＳＩＣ７２、７３があり、ＰＳＵ９０が、省エネルギー状態においても供給する省エネルギー時供給電源５ＶＥと該省エネルギー状態には供給しない省エネルギー時非供給電源５Ｖの２系統の電源を有し、電源供給制御部１００が、電源供給系統を、該省エネルギー時電源要ＡＳＩＣ７１に該省エネルギー時供給電源５ＶＥを供給する省エネルギー時電源供給系統７４と該省エネルギー時電源不要ＡＳＩＣ７２、７３に該省エネルギー時電源非供給電源５Ｖを供給する省エネルギー時非電源供給系統７５とに大きく系統分けし、省エネルギー状態解除時の電源供給タイミング制御処理として、該省エネルギー時非電源供給系統７５での該省エネルギー時非供給電源５Ｖの省エネルギー時電源不要ＡＳＩＣ７２、７３への電源供給タイミングを制御している。
【００８１】
したがって、省エネルギーモードからの復帰時においても、省エネルギー時電源要ＡＳＩＣ７１と省エネルギー時電源不要ＡＳＩＣ７２、７３のそれぞれに適切な電源供給タイミングで電源を供給して、省エネルギー時電源要ＡＳＩＣ７１と省エネルギー時電源不要ＡＳＩＣ７２、７３相互間での電源の回り込みを適切に防止することができ、各ＡＳＩＣ７１、７２、７３の寿命の短命化を防止することができる。
【００８２】
さらに、本実施例の複合装置１の電源供給制御部１００は、省エネルギー状態解除時のタイミング制御処理として、レギュレータ素子１０１で、省エネルギー時供給電源５ＶＥから第１の電源である３．３ＶＥＣを生成して、ＡＳＩＣ７１及びリセット素子１０３に入力し、該リセット素子１０３に入力される該レギュレータ素子１０１の出力電源が所定の設定電圧に到達すると、その後、所定の設定時間ｔ１経過後に、リセット素子１０３がレギュレータ素子１１１にリセット解除信号を出力して、レギュレータ素子１１１が、省エネルギー時非供給電源５Ｖから第２の電源である３．３Ｖを生成して、ＡＳＩＣ７２、７３及びリセット素子１１３に出力し、該レギュレータ素子１１１からリセット素子１１３に入力される電源が所定の設定電圧に到達すると、その後、所定の設定時間ｔ２経過後に、リセット素子１１３がスイッチ回路１１４にリセット解除信号を出力して、スイッチ回路１１４が、５Ｖの省エネルギー時非供給電源をレギュレータ素子１１５に入力し、レギュレータ素子１１５が該５Ｖの省エネルギー時非供給電源を、１．２７５Ｖ（第３の電源）に電圧変換して、ＡＳＩＣ７３に供給している。
【００８３】
したがって、省エネルギーモードからの復帰時においても、省エネルギー時電源要ＡＳＩＣ７１と省エネルギー時電源不要ＡＳＩＣ７２、７３のそれぞれにより一層適切な電源供給タイミングで電源を供給して、省エネルギー時電源要ＡＳＩＣ７１と省エネルギー時電源不要ＡＳＩＣ７２、７３相互間での電源の回り込みをより一層適切に防止することができ、各ＡＳＩＣ７１、７２、７３の寿命の短命化を防止することができる。すなわち、第１の電源であるレギュレータ素子１０１の出力電源と第２の電源であるレギュレータ素子１１１の出力電源の出力の順番が決定されているので、第２の電源であるレギュレータ素子１１１の出力側から第１の電源であるレギュレータ素子１０１の出力側へのＡＳＩＣ７１、７２、７３相互間で電源の回りこみを防止して、画像転送機能回路部７０を構成するＡＳＩＣ７１、７２、７３の寿命が短くなることを防止することができる。また、第２の電源であるレギュレータ素子１１１からリセット素子１１３への出力電源が所定の電圧に達した後、スイッチ回路１１４から５Ｖの省エネルギー時非供給電源をレギュレータ素子１１５に入力し、さらに、レギュレータ素子１１５で５Ｖの省エネルギー時非供給電源を、１．２７５Ｖ（第３の電源）に電圧変換して、ＡＳＩＣ７３に供給しているので、ＡＳＩＣ７３への複数の電源の供給の順番を確定させることができ、ＡＳＩＣ７３内の回路間での電源の回り込みを確実に防止して、より一層ＡＳＩＣ７３の寿命の短縮化を防止することができる。
【００８４】
また、本実施例の複合装置１の電源供給制御部１００は、上記スイッチ回路１１４の５Ｖの出力電源をレギュレータ素子１１５で電圧変換してＡＳＩＣ７３に供給する第３の電源として、レギュレータ素子１１１の出力する第２の電源である３．３Ｖよりも低い１．２７５Ｖの電源を生成し、電圧値の低い電源が先に供給され電圧値の高い電源が後で供給される電源供給タイミングを要求するＡＳＩＣ７３に、該１．２７５Ｖの第３の電源を供給している。
【００８５】
したがって、高い方の電圧電源を低い方の電圧電源よりも先に供給しなければならない仕様となっているＡＳＩＣ７３に対して、電圧値の高い第２の電源（３．３Ｖ）を供給した後、少なくとも、所定時間ｔ２を開けた後に、電圧値の低い第３の電源（１．２７５Ｖ）を供給するという、要求される電源供給順序を確実に確保して電源を供給することができ、ＡＳＩＣ７３の誤動作を防止することができるとともに、ＡＳＩＣ７３の寿命の短縮化をより一層確実に防止することができる。
【００８６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００８７】
本発明は、電源供給タイミングの異なる回路素子への電源供給タイミングを制御する電源供給制御装置、電源供給制御方法及び画像形成装置に適用することができる。
【図面の簡単な説明】
【００８８】
【図１】本発明の電源供給制御装置、電源供給制御方法及び画像形成装置の一実施例を適用した複合装置の正面概略構成。
【図２】図１の複合装置の要部ブロック構成図。
【図３】図２の画像転送機能回路部の要部回路構成図。
【図４】電源供給時の図３の電源供給制御部の各部のタイミングチャートを示す図。
【図５】省エネルギーモード復帰時の図３の電源供給制御部の各部のタイミングチャートを示す図。
【符号の説明】
【００８９】
１  複合装置
２  本体筐体
３  コンタクトガラス
４  ランプ
５  第１ミラー
６  第２ミラー
７  第３ミラー
８  レンズ
９  ＣＣＤ
１０  スキャナエンジンユニット
２０  ＡＤＦ
２１  原稿台
２２  給送ローラ
２３  給送ベルト
２４  搬送ローラ
２５  排紙ローラ
２６  排紙台
２７  原稿セット検知センサ
３０  プロッタエンジンユニット
３１  感光体
３２  書込ユニット
３３  現像部
３４  搬送ベルト
３５  定着部
３６  搬送切換排紙部
３７  両面入紙搬送路
３８  反転排紙搬送路
３９  反転ユニット
４０  両面搬送ユニット
４１  給紙部群
４２  搬送ユニット
４３  排紙トレイ
５１〜５３  給紙部
５１ａ〜５３ａ  給紙トレイ  ５１ｂ〜５３ｂ  給紙ローラ部
６０  ＦＡＸユニット
７０  画像転送機能回路部
７１  ＡＳＩＣ（省エネルギー時電源要ＡＳＩＣ）
７２、７３  ＡＳＩＣ（省エネルギー時電源不要ＡＳＩＣ）
７４  電源供給系統（省エネルギー時電源供給系統）
７５  電源供給系統（省エネルギー時非電源供給系統）
８０  コントローラ
９０  ＰＳＵ
９１  データバス
１００  電源供給制御部
１０１、１０２  レギュレータ素子
１０３  リセット素子
１１１、１１２  レギュレータ素子
１１３  リセット素子
１１４  スイッチ回路
１１５  レギュレータ素子
Ｔｒ１  トランジスタ
Ｑ１  電界効果トランジスタ
Ｒ１、Ｒ２  抵抗
【図１】
2008158210.tif 000003
【図２】
2008158210.tif 000004
【図３】
2008158210.tif 000005
【図４】
2008158210.tif 000006
【図５】
2008158210.tif 000007